(57)【要約】    【課題】嵌め殺し式パネルの枠体を構成する縦枠と開閉式障子の縦框との間隔を狭くしてもシール材の施工が容易に行なえるカーテンウォールの提供。    【解決手段】パネルを嵌め殺し式に装着した縦枠２Ｃと、開閉式障子１１を取付ける縦枠２Ａとを結合する。縦枠２Ａは縦枠２Ｃに比べて出入り方向の幅を狭幅とする。両縦枠の結合部に室外側よりシール材１５を施す。開閉式障子１１の縦框を室内側縦框２４と室外側縦框２５に分割する。室内側縦框２４にアタッチメント２６を水平回動可能に枢着する。アタッチメント２６の先端を室外側縦框２５の溝２５ｃ内に嵌めて溝２５ｃ内の弾性材２７を圧縮した状態で室外側縦框２５の係止部２５ａを室内側縦框２４の突起２４ｂに係止させる。室外側縦框２５のパネル面対向部２５ｄとパネル１Ａとの間にシール材２９を介在させる。【選択図】図５
2006291623.tif 000002
【特許請求の範囲】
【請求項１】
パネルを嵌め殺し式に装着した枠体を構成する第１の縦枠と、開閉式障子を取付けた枠体を構成する第２の縦枠とが左右に隣接し、第２の縦枠は第１の縦枠に比べて出入り方向の幅が狭幅であって、両縦枠は互いに結合されると共に方立に結合され、縦枠どうしの結合部に室外側よりシール材が施される構造を有し、
前記開閉式障子の縦框を、室内側縦框と室外側縦框とに分割し、
前記室内側縦框の室外側に、室外側縦框取付け用のアタッチメントを水平回動可能に枢着し、
前記室内側縦框に、室内側に突出した突起を設け、
前記室外側縦框はパネル面対向部とパネル縁対向部とを有し、パネル縁対向部の室内側端部に、前記突起に係止する係止部を形成すると共に、コーナー部の内部に、前記アタッチメントの室外側端部を嵌める溝を形成し、その溝内に弾性材を収容し、
前記アタッチメントの先端を前記室外側縦框の前記溝内に嵌めて前記弾性材を圧縮した状態で前記室外側縦框の係止部を前記室内側縦框の突起に係止させ、前記室外側縦框のパネル面対向部とパネルとの間にシール材を介在させてパネルと室内側縦框と室外側縦框とを組み合わせた
ことを特徴とするカーテンウォール。
【発明の詳細な説明】
【技術分野】
【０００１】
本発明は、カーテンウォールに係わり、特に開閉式障子の縦框の取付け構造に関する。
【背景技術】
【０００２】
カーテンウォールは、方立に縦枠を固定し、無目に横枠を固定し、縦枠と横枠とにより構成された枠体にパネルを嵌め込んで構成される（例えば特許文献１参照）。
【０００３】
【特許文献１】特開２００２−３７１６５７号公報
【発明の開示】
【発明が解決しようとする課題】
【０００４】
カーテンウォールにおいては、美観の向上のため、パネルを保持する枠や間隔の縮小が求められている。このため、開閉式障子を一部に設けるカーテンウォールの場合、開閉式障子を取付けるための縦枠と、開閉式障子の縦框との外観に現れる左右方向のトータルの幅を狭くするため、開閉式障子を取付ける枠体を構成する縦枠は出入り方向（室内外方向）の幅を狭くし、その縦枠を、嵌め殺し式にパネルを装着する枠体を構成する縦枠と結合し、その結合部に室外側からシール材を施し、開閉式障子の縦框は本来縦枠のある場所に位置する構成を採用することが考えられる。
しかしながら、このような構成を採用すると、開閉式障子の縦框と嵌め殺し式パネルを装着する縦枠との間の間隔が狭くなり、シール材の施工が困難になるという問題点がある。
【０００５】
本発明は、上記事情に鑑みてなされたもので、嵌め殺し式パネルの枠体を構成する縦枠と開閉式障子の縦框とが狭い間隔を挟んで対向する構造とした場合でも前記シール材の施工が容易に行なえる構成のカーテンウォールを提供することを目的とする。
【課題を解決するための手段】
【０００６】
本発明のカーテンウォールは、パネルを嵌め殺し式に装着した枠体を構成する第１の縦枠と、開閉式障子を取付けた枠体を構成する第２の縦枠とが左右に隣接し、第２の縦枠は第１の縦枠に比べて出入り方向の幅が狭幅であって、両縦枠は互いに結合されると共に方立に結合され、縦枠どうしの結合部に室外側よりシール材が施される構造を有し、
前記開閉式障子の縦框を、室内側縦框と室外側縦框とに分割し、
前記室内側縦框の室外側に、室外側縦框取付け用のアタッチメントを水平回動可能に枢着し、
前記室内側縦框に、室内側に突出した突起を設け、
前記室外側縦框はパネル縁対向部とパネル面対向部とを有し、パネル縁対向部の室内側端部に、前記突起に係止する係止部を形成すると共に、コーナー部の内部に、前記アタッチメントの室外側端部を嵌める溝を形成し、その溝内に弾性材を収容し、
前記アタッチメントの先端を前記室外側縦框の前記溝内に嵌めて前記弾性材を圧縮した状態で前記室外側縦框の係止部を前記室内側縦框の突起に係止させ、前記室外側縦框のパネル面対向部とパネルとの間にシール材を介在させてパネルと室内側縦框と室外側縦框とを組み合わせた
ことを特徴とする。
【発明の効果】
【０００７】
本発明においては、開閉式障子取付け用縦枠と嵌め殺し側縦枠との結合部へのシール材の施工の際に、パネルや室外側縦框は取付けられておかず、アタッチメントをシール材の施工の邪魔にならない位置に回動させてことにより、前記結合部へのシール材の施工が容易に行なえる。また、開閉式障子を取付ける縦枠を狭い幅に構成し、縦框が室外側に露出する構成の実現が可能となるので、枠や框のトータルの幅が狭い外観の優れたカーテンウォールが提供できる。
【発明を実施するための最良の形態】
【０００８】
図１は本発明によるカーテンウォールの一実施の形態を示す正面図（室外側から見た図）、図２はその縦断面図である。１はガラス等でなるパネル、２、３はパネル１を支持する縦枠および無目である。縦枠２は方立４の室外側の面に取付けられる。方立４は鉄筋コンクリート製床部５に取付け装置６を介して取付けられる。前記無目３は方立４に取付けられ、横枠７はこの無目３の室内側の面に取付けられる。９はパネル１の室内側に設けられた珪酸カルシウム等でなる耐火ボードであり、下階から上階への延焼を防止するものであり、この耐火ボード９は上下端を横枠７および方立４に設けたブラケット１０より支持し、左右の中間部を後述の機構により方立４に押し付けて取付けられる。１１はカーテンウォールの一部に開閉可能に取付けられた障子である。
【０００９】
図３はこの実施の形態における開閉式障子１１の取付け構造を示す横断面図、図４はその縦断面図である。図３、図４において、２Ａ、２Ｂは開閉式障子１１を取付ける縦枠（第２の縦枠）であり、それぞれ方立４にねじなどの固定具１２により固定される。３Ａ、３Ｂは同じく開閉式障子１１を下面、上面に取付け、かつパネル１を上面、下面に嵌め殺し式に装着する無目であり、前記横枠７にねじなどの固定具１３により固定される。２Ｃ、２Ｄはそれぞれ開閉式障子１１を間に取付ける縦枠（第１の縦枠）であり、パネル１を嵌め殺し式に装着するものである。これらの縦枠２Ｃ、２Ｄはそれぞれ前記方立４に組み合わされて取付け共に、前記縦枠２Ａ、２Ｂにねじなどの固定具１４により固定される。
【００１０】
第２の縦枠２Ａ、２Ｂは第１の縦枠２Ｃ、２Ｄより出入り方向の幅を狭くし、これにより、開閉式障子１１の後述の室外側縦框２５が占有できるスペースを室外側に確保し、縦枠や縦框の占めるトータルの左右の幅を狭くし、外観を向上させる。１５は縦枠２Ａと２Ｃ、２Ｂと２Ｄとの間の隙間からの風雨の侵入を防止するシール材である。
【００１１】
本実施の形態の開閉式障子１１は縦辷り出し式のものを示す。この開閉式障子の上方の横框１６および下方の横框１７と、それぞれ開閉式障子１１の上方の無目３Ａ、下方の無目３Ｂとの間には、無目３Ａ、３Ｂにそれぞれ取付けたレール１９、２０に沿って障子１１の左右の一端を摺動させ、かつ他端を出入り方向に動かして開閉させるためのリンク機構２１、２２を有する。
【００１２】
開閉式障子１１の縦框は室内側縦框２４と室外側縦框２５とにより分割して構成する。室内側縦框２４は前記横框１６、１７にタッピングねじ（図示せず）により結合される。２６は前記室外側縦框２５を室内側縦框２４に取付けるためのアタッチメントである。このアタッチメント２６は、図５の拡大横断面図に示すように、室内側縦框２４の室外側に設けた枢着部２４ａに、障子１１のパネル１Ａ側に折り曲げられた姿勢が取りうるように、水平回動可能に枢着する。
【００１３】
前記室内側縦框２４には、室外側縦框２５を取付けるための室内側に突出した突起２４ｂを設ける。前記室外側縦框２５はパネル縁対向部２５ｅとパネル面対向部２５ｄとを有し、パネル縁対向部２５ｅの室内側端部に、前記突起２４ｂに係止するＵ字形に曲成した係止部２５ａを形成すると共に、コーナー部２５ｂの内側に、前記アタッチメント２６の室外側端部を嵌める溝２５ｃを形成し、その溝２５ｃ内にゴム等の弾性材２７を収容する。
【００１４】
図６は前記アタッチメント２６を用いて前記室外側縦框２５を前記室内側縦框２４に組み付ける順序を示す図である。この室外側縦框２５の組み付けは、前記縦枠２Ａ、２Ｂに縦枠２Ｃ、２Ｄを結合し、シール材１５を施した後に行なう。このシール材１５の施工は、図６（Ａ）に示すように、室外側縦框２５を取付ける前に、アタッチメント２６をパネル装着側に回した状態にして、すなわちシール材１５の施工の邪魔にならないようにして行なう。
【００１５】
次にアタッチメント２６の先端を室外側縦框２５の前記溝２５ｃ内に嵌め、室外側縦框２５を室内側に押圧して弾性材２７を圧縮し、図６（Ｂ）に示すように室外側縦框２５の係止部２５ａを室内側縦框２４の突起２４ｂより室内側に動かし、図６（Ｃ）に示すように係止させる。この係止状態では、室外側縦框２５は弾性材２７の弾発力により室外側に押され、係止部２５ａと突起２４ｂとは強固に結合される。この状態で図５に示すようにパネル１Ａを室外側縦框２５および上下の横框１６、１７内に装着し、室外側縦框２５のパネル面対向部２５ｄとパネル１Ａとの間にゴム等のシール材２９を押し込んでパネル１Ａと室内側縦框２４と室外側縦框２５とを組み合わせる。この組み立てた状態では、シール材２９の弾性により、室外側縦框２５は室内側縦框２４にさらに強固に結合される。
【００１６】
このように、本発明においては、開閉式障子１１の縦枠２Ａ。２Ｂを狭幅に構成し、縦框を分割し、室外側縦框２５を室内側縦框２４に取付けるためにアタッチメント２６を設け、縦枠２Ａと２Ｃ、２Ｂと２Ｄどうしの結合部のシール材１５の施工の際にはアタッチメント２６をパネル装着側に回して退避させておくようにしたもので、シール材１５の施工が容易に行なえる。また、開閉式障子を取付ける縦枠を狭幅に構成することが可能となるので、枠や框のトータルの幅が狭い外観の優れたカーテンウォールが提供できる。
【００１７】
本発明は、開閉式障子が縦辷り出し式でなく、例えば横辷り出し式、開き窓あるいは回転窓などの場合にも適用できる。また、本発明を実施する場合、縦枠２Ａ〜２Ｄ、室内側縦框２４、室外側縦框２５、アタッチメント２６等の具体的構造や組み合わせ構造などについては上記実施の形態に限らず、種々の変更、付加が可能である。
【図面の簡単な説明】
【００１８】
【図１】本発明のカーテンウォールの一実施の形態を示す正面図である。
【図２】本実施の形態のカーテンウォールの縦断面図である。
【図３】本実施の形態のカーテンウォールの横断面図である。
【図４】本実施の形態のカーテンウォールの縦断面図である。
【図５】図３の要部拡大図である。
【図６】本実施の形態の組立順序を示す図である。
【符号の説明】
【００１９】
１：パネル、２、２Ａ〜２Ｄ：縦枠、３、３Ａ、３Ｂ：無目、４：方立、５：床部、６：方立取付け装置、７：横枠、９：耐火ボード、１０：ブラケット、１１：開閉式障子、１２〜１４：固定具、１５：シール材、１６、１７：横框、１９、２０：レール、２１、２２：リンク機構、２４：室内側縦框、２４ａ：枢着部、２４ｂ：突起、２５：室外側縦框、２５ａ：係止部、２５ｂ：コーナー部、２５ｃ：溝、２５ｄ：パネル面対向部、２５ｅ：パネル縁対向部、２６：アタッチメント、２７：弾性材、２９：シール材
【図１】
2006291623.tif 000003
【図２】
2006291623.tif 000004
【図３】
2006291623.tif 000005
【図４】
2006291623.tif 000006
【図５】
2006291623.tif 000007
【図６】
2006291623.tif 000008